(57)【要約】【課題】興味をもった地点に関連するＷｅｂページをユーザがより簡易に閲覧できる「車載システム」を提供する。【解決手段】ナビゲーション部１８は、ユーザから登録を要求された地点をユーザ登録地点としてメモリ２１に登録し、以降、地図上に、ユーザ登録地点を表すマークを表示する。また、ユーザ登録地点が登録されたならば、登録された地点についての各種情報を表す地点レコードを地図データ記憶部１６から探索し、地点レコードに記述されている当該地点に関連するＷｅｂページのＵＲＬを示すブックマークを、ブックマーク記憶部１９に登録する。Ｗｅｂブラウザ２０は、ブックマーク記憶部１９に登録されているブックマークのリストを表示し、リスト上でユーザから選択されたブックマークのＵＲＬのＷｅｂページに、通信制御部１７、無線通信装置１３、インターネット２を介してアクセスし、当該Ｗｅｂページを表示装置１２に表示する。【選択図】図１
2006277638.tif 000002
【特許請求の範囲】
【請求項１】
自動車に搭載される車載システムであって、
ＷｅｂページのＵＲＬが記述されたブックマークを格納するブックマーク記憶手段と、
前記ブックマーク記憶手段に格納されているブックマークの内からのブックマークの選択を受け付け、選択を受け付けたブックマークに記述されているＵＲＬのＷｅｂページに無線通信を介してアクセスし、アクセスしたＷｅｂページを表示するＷｅｂブラウザと、
地点の識別を表す地点識別情報と、当該地点に関連する情報を提供するＷｅｂページのＵＲＬとを記述した地点情報を、複数の地点について記憶した地点情報記憶手段と、
地図を表示し、表示した地図上でユーザに対する経路案内を行うと共に、ユーザから登録を要求された地点をユーザ登録地点として登録し、登録したユーザ登録地点を表すマークを前記地図上に表示するナビゲーション手段と、
前記地点情報に記憶されている、前記ナビゲーション手段がユーザ登録地点として登録した地点の識別を表す地点識別情報が記述された地点情報に記述されているＵＲＬを記述したブックマークを前記ブックマーク記憶手段に格納するブックマーク登録手段とを有することを特徴とする車載システム。
【請求項２】
請求項１記載の車載システムであって、
前記地点情報には、地点の種別を表す地点種別情報が記述されており、
前記ブックマーク記憶手段には、前記ブックマークを、ブックマークを収容するブックマークフォルダを用いて階層的に格納可能であって、
前記ブックマーク記憶手段には、前記各地点種別に対応するブックマークフォルダが格納され、
前記Ｗｅｂブラウザは、前記ブックマークの選択の受け付けを、前記ブックマーク記憶手段に格納されているブックマークを前記ブックマークフォルダを用いて階層的に表示し、表示したブックマーク内からのブックマークの選択を受け付けることにより行い、
前記ブックマーク登録手段は、前記ナビゲーション手段がユーザ登録地点として登録した地点の識別を表す地点識別情報が記述された地点情報に記述されているＵＲＬを記述したブックマークを、当該地点情報に記述されている地点種別情報が示す地点種別に対応するブックマークフォルダに収容することにより、当該ブックマークを前記ブックマーク記憶手段に格納することを特徴とする車載システム。
【請求項３】
自動車に搭載される車載システムであって、
ＷｅｂページのＵＲＬが記述されたブックマークを格納するブックマーク記憶手段と、
ユーザの要求に応じてユーザが指定したＷｅｂページのＵＲＬを記述したブックマークを前記ブックマーク記憶手段に格納すると共に、前記ブックマーク記憶手段に格納されているブックマークの内からのブックマークの選択を受け付け、選択を受け付けたブックマークに記述されているＵＲＬのＷｅｂページに無線通信を介してアクセスし、アクセスしたＷｅｂページを表示するＷｅｂブラウザと、
地点の識別を表す地点識別情報と、当該地点に関連する情報を提供するＷｅｂページのＵＲＬとを記述した地点情報を、複数の地点について記憶した地点情報記憶手段と、
地図を表示し、表示した地図上でユーザに対する経路案内を行うと共に、登録されているユーザ登録地点を表すマークを前記地図上に表示するナビゲーション手段と、
前記Ｗｅｂブラウザが格納したブックマークに記述されているＵＲＬが記述されている地点情報の地点識別情報が示す地点を、前記ユーザ登録地点として登録するユーザ登録地点登録手段とを有することを特徴とする車載システム。
【請求項４】
自動車に搭載される車載システムであって、
ＷｅｂページのＵＲＬが記述されたブックマークを格納するブックマーク記憶手段と、
前記ブックマーク記憶手段に格納されているブックマークの内からのブックマークの選択を受け付け、選択を受け付けたブックマークに記述されているＵＲＬのＷｅｂページに無線通信を介してアクセスし、アクセスしたＷｅｂページを表示するＷｅｂブラウザと、
地点の識別を表す地点識別情報と、当該地点に関連する情報を提供するＷｅｂページのＵＲＬとを記述した地点情報を、複数の地点について記憶した地点情報記憶手段と、
目的地までの推奨ルートを探索し、地図の表示と当該表示した地図上における前記推奨ルートの案内を行うと共に、ユーザから登録を要求された地点をユーザ登録地点として登録し、登録したユーザ登録地点を表すマークを前記地図上に表示するナビゲーション手段と、
前記地点情報記憶手段に記憶されている、前記推奨ルート近傍の地点の識別を表す地点識別情報が記述されている前記地点情報を探索し、探索した地点情報に記述されたＵＲＬを記述したブックマークを前記ブックマーク記憶手段に格納するブックマーク登録手段とを有することを特徴とする車載システム。
【請求項５】
請求項４記載の車載システムであって、
前記Ｗｅｂブラウザは、前記ブックマークの選択の受け付けを、前記ブックマーク記憶手段に格納されているブックマークを表示し、表示したブックマーク内からのブックマークの選択を受け付けることにより行い、
前記ブックマーク登録手段は、探索した地点情報に記述されている地点識別情報が表す地点の、前記推奨ルートに従って走行した場合の通過順序に従った順序で、探索した地点情報に記述されているＵＲＬを記述したブックマークが、前記Ｗｅｂブラウザによって表示されるように、探索した各地点情報に記述されたＵＲＬを記述したブックマークを前記ブックマーク記憶手段に格納することを特徴とする車載システム。
【請求項６】
自動車に搭載されるコンピュータによって読み取られ実行されるコンピュータプログラムであって、
前記コンピュータを、
ＷｅｂページのＵＲＬが記述されたブックマークを格納するブックマーク記憶手段と、
前記ブックマーク記憶手段に格納されているブックマークの内からのブックマークの選択を受け付け、選択を受け付けたブックマークに記述されているＵＲＬのＷｅｂページに無線通信を介してアクセスし、アクセスしたＷｅｂページを表示するＷｅｂブラウザと、
地点の識別を表す地点識別情報と、当該地点に関連する情報を提供するＷｅｂページのＵＲＬとを記述した地点情報を、複数の地点について記憶した地点情報記憶手段と、
地図を表示し、表示した地図上でユーザに対する経路案内を行うと共に、ユーザから登録を要求された地点をユーザ登録地点として登録し、登録したユーザ登録地点を表すマークを前記地図上に表示するナビゲーション手段と、
前記地点情報に記憶されている、前記ナビゲーション手段がユーザ登録地点として登録した地点の識別を表す地点識別情報が記述された地点情報に記述されているＵＲＬを記述したブックマークを前記ブックマーク記憶手段に格納するブックマーク登録手段として機能させることを特徴とするコンピュータプログラム。
【発明の詳細な説明】
【技術分野】
【０００１】
本発明は、ナビゲーション装置とＷｅｂブラウザとを備えた車載システムに関するものである。
【背景技術】
【０００２】
ナビゲーション装置とＷｅｂブラウザとを備えた車載システムとしては、あらかじめ、地点と当該地点に関わるＷｅｂページのＵＲＬとの対応を登録しておき、ユーザから指定された地点に対応して登録されているＵＲＬのＷｅｂページにアクセスして、当該Ｗｅｂページを表示する技術が知られている（たとえば、特許文献１）。
【０００３】
また、Ｗｅｂブラウザにおいて、ユーザが興味を持ったＷｅｂページを登録する技術としては、ユーザから登録を指定されたＷｅｂページのタイトルとＵＲＬとをブックマークとして登録しておき、以降、適宜、ユーザのブックマークの指定に伴い、当該ブックマークが示すＵＲＬのＷｅｂページにアクセスして、当該Ｗｅｂページを表示する技術が知られている。
【０００４】
一方、ナビゲーション装置において、ユーザが興味を持った地点を登録する技術としては、ユーザから地点の指定と当該地点の表示に用いるマークの指定を受け付け、指定された地点をユーザ登録地点として指定されたマークと関連づけて登録すると共に、以降、適宜、登録されているユーザ登録地点を地図上に、当該ユーザ登録地点と関連づけて登録されているマークによって表示する技術が知られている（たとえば、特許文献２）。
【特許文献１】特開2000-136936号公報
【特許文献２】特開平1-162111号公報
【発明の開示】
【発明が解決しようとする課題】
【０００５】
さて、一般的にいって、ユーザが興味をもった地点については、ユーザがその地点に関連するＷｅｂページにも興味を持つことが期待できる。
しかしながら、前述した前記ユーザから指定された地点に対応して登録されているＵＲＬのＷｅｂページにアクセスして、当該Ｗｅｂページを表示する技術によれば、ユーザは、興味ある地点に関連するＷｅｂページを閲覧するために一々その地点の指定を行わなければならないため、当該Ｗｅｂページを閲覧するために要する操作が煩雑となる。
【０００６】
そこで、本発明は、興味をもった地点に関連するＷｅｂページを、ユーザが、より簡易に閲覧できるようにすることを課題とする。
【課題を解決するための手段】
【０００７】
前記課題達成のために、本発明は、自動車に搭載される車載システムに、ＷｅｂページのＵＲＬが記述されたブックマークを格納するブックマーク記憶手段と、前記ブックマーク記憶手段に格納されているブックマークの内からのブックマークの選択を受け付け、選択を受け付けたブックマークに記述されているＵＲＬのＷｅｂページに無線通信を介してアクセスし、アクセスしたＷｅｂページを表示するＷｅｂブラウザと、地点の識別を表す地点識別情報と、当該地点に関連する情報を提供するＷｅｂページのＵＲＬとを記述した地点情報を、複数の地点について記憶した地点情報記憶手段と、地図を表示し、表示した地図上でユーザに対する経路案内を行うと共に、ユーザから登録を要求された地点をユーザ登録地点として登録し、登録したユーザ登録地点を表すマークを前記地図上に表示するナビゲーション手段と、前記地点情報に記憶されている、前記ナビゲーション手段がユーザ登録地点として登録した地点の識別を表す地点識別情報が記述された地点情報に記述されているＵＲＬを記述したブックマークを前記ブックマーク記憶手段に格納するブックマーク登録手段とを備えたものである。
【０００８】
このような車載システムによれば、ユーザが興味をもった地点をユーザ登録地点として登録すると、その地点に関連するＷｅｂページのＵＲＬが、ＷｅｂブラウザがアクセスするＷｅｂページをユーザから受け付けるためのショートカットメニューとして使用されるブックマークとして登録されることになる。したがって、以降、ユーザは、この地点に関連するＷｅｂページを、Ｗｅｂブラウザから直接、簡易な操作によって閲覧できるようになる。
【０００９】
ここで、このような車載システムは、より具体的には、前記地点情報に、地点の種別を表す地点種別情報を記述し、前記ブックマーク記憶手段に、前記ブックマークを、ブックマークを収容するブックマークフォルダを用いて階層的に格納可能とし、前記ブックマーク記憶手段に、前記各地点種別に対応するブックマークフォルダを格納し、前記Ｗｅｂブラウザにおいて、前記ブックマークの選択の受け付けを、前記ブックマーク記憶手段に格納されているブックマークを前記ブックマークフォルダを用いて階層的に表示し、表示したブックマーク内からのブックマークの選択を受け付けることにより行い、前記ブックマーク登録手段において、前記ナビゲーション手段がユーザ登録地点として登録した地点の識別を表す地点識別情報が記述された地点情報に記述されているＵＲＬを記述したブックマークを、当該地点情報に記述されている地点種別情報が示す地点種別に対応するブックマークフォルダに収容することにより、当該ブックマークを前記ブックマーク記憶手段に格納するようにしてもよい。
【００１０】
このようにすることにより、ユーザは、ユーザ登録地点に関連するＷｅｂページのブックマークを、そのユーザ登録地点の種別に応じて、容易に見つけ出して利用することができるようになる。
また、前記課題達成のために、本発明は、自動車に搭載される車載システムに、ＷｅｂページのＵＲＬが記述されたブックマークを格納するブックマーク記憶手段と、ユーザの要求に応じてユーザが指定したＷｅｂページのＵＲＬを記述したブックマークを前記ブックマーク記憶手段に格納すると共に、前記ブックマーク記憶手段に格納されているブックマークの内からのブックマークの選択を受け付け、選択を受け付けたブックマークに記述されているＵＲＬのＷｅｂページに無線通信を介してアクセスし、アクセスしたＷｅｂページを表示するＷｅｂブラウザと、地点の識別を表す地点識別情報と、当該地点に関連する情報を提供するＷｅｂページのＵＲＬとを記述した地点情報を、複数の地点について記憶した地点情報記憶手段と、地図を表示し、表示した地図上でユーザに対する経路案内を行うと共に、登録されているユーザ登録地点を表すマークを前記地図上に表示するナビゲーション手段と、前記Ｗｅｂブラウザが格納したブックマークに記述されているＵＲＬが記述されている地点情報の地点識別情報が示す地点を、前記ユーザ登録地点として登録するユーザ登録地点登録手段とを備えたものである。
【００１１】
このような車載システムによれば、ユーザがＷｅｂブラウザで新たなブックマークを登録したときに、このブックマークのＷｅｂページに関連する地点を、ユーザ登録地点として登録し、地図上に、当該地点をマークによって表示したりすることができるようになる。
【００１２】
また、本発明は、併せて、ＷｅｂページのＵＲＬが記述されたブックマークを格納するブックマーク記憶手段と、前記ブックマーク記憶手段に格納されているブックマークの内からのブックマークの選択を受け付け、選択を受け付けたブックマークに記述されているＵＲＬのＷｅｂページに無線通信を介してアクセスし、アクセスしたＷｅｂページを表示するＷｅｂブラウザと、地点の識別を表す地点識別情報と、当該地点に関連する情報を提供するＷｅｂページのＵＲＬとを記述した地点情報を、複数の地点について記憶した地点情報記憶手段と、目的地までの推奨ルートを探索し、地図の表示と当該表示した地図上における前記推奨ルートの案内を行うと共に、ユーザから登録を要求された地点をユーザ登録地点として登録し、登録したユーザ登録地点を表すマークを前記地図上に表示するナビゲーション手段と、前記地点情報記憶手段に記憶されている、前記推奨ルート近傍の地点の識別を表す地点識別情報が記述されている前記地点情報を探索し、探索した地点情報に記述されたＵＲＬを記述したブックマークを前記ブックマーク記憶手段に格納するブックマーク登録手段とを備えた車載システムも提供する。
【００１３】
このような車載システムによれば、推奨ルートが設定されると、推奨ルート沿いに存在する各地点に関連するＷｅｂページのＵＲＬが、Ｗｅｂブラウザのブックマークとして登録されることになる。したがって、以降、ユーザは、推奨ルート沿いの地点に関連するＷｅｂページを、Ｗｅｂブラウザから直接、簡易な操作によって閲覧できるようになる。
【００１４】
ここで、このような車載システムは、前記Ｗｅｂブラウザにおいて、前記ブックマークの選択の受け付けを、前記ブックマーク記憶手段に格納されているブックマークを表示し、表示したブックマーク内からのブックマークの選択を受け付けることにより行い、前記ブックマーク登録手段において、探索した地点情報に記述されている地点識別情報が表す地点の、前記推奨ルートに従って走行した場合の通過順序に従った順序で、探索した地点情報に記述されているＵＲＬを記述したブックマークが、前記Ｗｅｂブラウザによって表示されるように、探索した地点情報に記述されたＵＲＬを記述したブックマークを前記ブックマーク記憶手段に格納するようにすることが好ましい。
【００１５】
このようにすることにより、推奨ルート沿いに存在する各地点の通過順を踏まえた上で興味をもった推奨ルート沿いの地点について、当該地点に関連するＷｅｂページのブックマークを選択して、そのＷｅｂページを閲覧したりすることができるようになる。
【発明の効果】
【００１６】
以上のように、本発明によれば、興味をもった地点に関連するＷｅｂページを、ユーザが、より簡易に閲覧できるようにすることができる。
【発明を実施するための最良の形態】
【００１７】
以下、本発明の実施形態について説明する。
図１に、本実施形態に係る車載システムの構成を示す。
図１に、本実施形態に係る情報システムの構成を示す。
図示するように、情報システムは、各々自動車に搭載される車載システム１と、車載システム１を無線通信を介して収容するインターネット２と、インターネット２に接続した複数のＷｅｂサーバ３とを含んで構成される。そして、各Ｗｅｂサーバ３上には、各々１または複数のＷｅｂページから構成される、１または複数のＷｅｂサイトが構築されている。
【００１８】
また、車載システム１は、操作部１１と、表示装置１２と、無線通信を介してインターネット２に接続するための無線通信装置１３と、車両状態センサ１４と、ＧＰＳ受信機１５と、ＨＤＤなどの記憶装置である地図データ記憶部１６と、無線通信装置１３を用いた通信を制御する通信制御部１７と、ナビゲーション部１８と、ブックマーク記憶部１９と、Ｗｅｂページの閲覧を行うＷｅｂブラウザ２０と、メモリ２１と、制御部２２と、操作部１１や表示装置１２を用いたユーザと車載システム各部間の入出力を処理するＧＵＩ制御部２３とを備えて構成される。
【００１９】
ここで、無線通信装置１３は、たとえば、携帯電話などと呼称される移動電話機であり、この場合には無線通信装置１３は、移動電話網を介してインターネット２に接続することになる。
また、車両状態センサ１４は、角加速度センサや地磁気センサなどである方位センサや、車速パルスセンサなどである車速センサなどの、各種車両状態を検出するセンサの集合である。
なお、以上の車載システム１の一部は、ハードウエア的には、マイクロプロセッサや、メモリや、その他の周辺デバイスを有する一般的な構成を備えたＣＰＵ回路として構成してよく、この場合の、ＣＰＵ回路として構成した各部は、マイクロプロセッサが予め用意されたプログラムを実行することにより具現化するプロセスとして実現される。また、この場合、このようなプログラムは、記録媒体や適当な通信路を介してＣＰＵ回路に提供されるものであって良い。
【００２０】
次に、図２ａに示すように、地図データ記憶部１６には、地図を表す地図データとサービスデータと、各種図形の図形データを含むマーク図形リソースが格納されている。
また、サービスデータは、ユーザが興味を持つであろう地点として予め選定された複数の地点のそれぞれについて設けた地点レコードを含む。そして、地点レコードには、地点に対して一意に与えた地点識別子、地点のガソリンスタンドやレストランやテーマパークなどの種別を表す地点種別、地点の名称である地点名称、地点の経緯度座標を表す地点座標、地点に関連するＷｅｂサイトのトップページ（ホームページ）のＵＲＬを表すＷｅｂサイトＵＲＬ、地点の住所を表す地点住所、地点の電話番号、その他の地点に関する各種情報である地点詳細説明が格納されている。
【００２１】
次に、ブックマーク記憶部１９は、ユーザが登録を指示したＷｅｂページにアクセスするための情報をブックマークとして登録したブックマークデータを格納する。
図２ｂに示すように、ブックマークデータには、ＷｅｂページのタイトルとＷｅｂページのＵＲＬからなるブックマーク２０１を複数登録することができる。また、ブックマークデータには、複数のブックマーク２０１を格納可能なブックマークフォルダ２０２を用いて階層的にブックマーク２０１を登録することもでき、この場合、各ブックマークフォルダには、当該ブックマークフォルダフォルダの名称であるフォルダタイトル２０３が与えられる。
【００２２】
次に、本実施形態においてメモリ２１には、ユーザが登録した地点であるユーザ登録地点のデータが登録される。すなわち、メモリ２１には、ユーザ登録地点毎に設けられたユーザ登録地点レコードが格納される。
図２ｃに、このユーザマークレコードを示す。
図示するように、ユーザマークレコードには、ユーザ登録地点の識別子となるマーク識別子、ユーザ登録地点のガソリンスタンドやレストランやテーマパークなどの種別を表すマーク種別、ユーザ登録地点の地点名称を示すマーク名称、ユーザ登録地点の座標を表す地点座標、ユーザ登録地点に関連するＷｅｂサイトのＵＲＬを示すＷｅｂサイトＵＲＬ、ユーザ登録地点と同じ地点についての地点レコードの地点識別子を示す対応地点識別子、ユーザ登録地点を地図上で表すために用いるユーザマークの図形データとして使用するマーク図形リソース中の図形データを指定するマーク図形識別子とが格納される。
【００２３】
さて、このような構成において、ナビゲーション部１８は、車両状態センサ１４やＧＰＳ受信機１５の出力と地図データ記憶部１６に格納されている地図データとのマップマッチング処理による現在位置を算出や、地図データに基づく、設定された目的地までの推奨ルートの探索及び設定や、目的地到着時などにおける推奨ルートの設定解除などの処理を行う。
【００２４】
また、ナビゲーション部１８は、地図データが表す地図を示す地図画像上に、現在位置や設定されている推奨ルートや目的地を表す図形や、メモリ２１に格納されているユーザマークレコードが示すユーザマークを描画した案内画像を生成し、ＧＵＩ制御部２３を介して表示装置１２に設定したナビゲーションウインドウ上に、表示する処理などを行う。ここで、ユーザマークの描画は、メモリ２１に格納されているユーザマークレコードのマーク図形識別子が示す図形データが表す図形をユーザマークとし、当該ユーザマークを、当該ユーザマークレコードの地点座標に対応する地図上の位置に描画することにより行う。
【００２５】
図３ａは、このようにして表示されたナビゲーションウインドウ３００を示すものであり、ナビゲーションウインドウ３００中に表示される案内画像は、図示するように、地図３０１上に、現在位置を示す現在位置マーク３０２や、目的地を示す目的地マーク３０３や、推奨ルートを表す推奨ルート図形３０４や、ユーザ登録地点を示すユーザマーク３０５が表示されたものとなっている。
【００２６】
さて、制御部２２は、ＧＵＩ制御部２３を介して、図３ａに示すように、ナビゲーションウインドウ３００と共に、各種メニュー呼び出し用のメニューボタン３０６と、Ｗｅｂブラウザ呼び出し用のＷＷＷボタン３０７を表示する。そして、ＷＷＷボタン３０７が操作されたならば、Ｗｅｂブラウザ２０が用いるブラウザウインドウをアクティブウインドウに設定し、図３ｂに示すように、ブラウザウインドウ３１０を、ＧＵＩ制御部２３に表示装置１２の前面に表示させる。
【００２７】
次に、Ｗｅｂブラウザ２０は、図３ｂに示すブラウザウインドウ３１０がアクティブウインドウとなったならば、ユーザからＵＲＬの指定を受け付け、通信制御部１７、無線通信装置１３、インターネット２を介して、ユーザから指定されたＵＲＬのＷｅｂサーバ３上のＷｅｂページにアクセスし、当該Ｗｅｂページをダウンロードして、図示するようにブラウザウインドウ３１０中に表示する。
【００２８】
ここで、Ｗｅｂブラウザ２０は、ユーザからのＵＲＬの指定を、ブラウザウインドウ３１０のＵＲＬ入力ボックス３１１へのＵＲＬの入力によって受け付ける他、ユーザのブックマークメニュー３１２の操作に応じて図３ｃに示すように表示するブックマークリスト３１３上のブックマークの指定に応じても受け付ける。
【００２９】
ここで、ブックマークリスト３１３には、ブックマーク記憶部１９に記憶しているブックマークデータの第１階層に登録されているブックマークのタイトルまたはフォルダタイトルを表示する。そして、フォルダタイトルが指定されたならば、さらに、指定されたフォルダタイトルを持つブックマークフォルダに含まれる各ブックマークのタイトルを図中３１４に示すように表示する。そして、ブックマークのタイトルが指定されたならば、指定されたタイトルを持つブックマークのＵＲＬをユーザが指定したＵＲＬとして受け付け、ＵＲＬ入力ボックス３１１に自動入力すると共に、このＵＲＬのＷｅｂページにアクセスし、当該Ｗｅｂページをダウンロードしてブラウザウインドウ３１０に表示する。
【００３０】
さて、Ｗｅｂブラウザ２０は、以上の処理の他、ユーザのブックマーク追加の指示に応じて、現在表示しているＷｅｂページのタイトルとＵＲＬよりなるブックマークを作成し、ブックマークデータに登録する処理や、ユーザの操作に応じて、ブックマークデータとして登録されているブックマークやブックマークフォルダを編集する処理なども行う。
【００３１】
さて、制御部２２は、ＧＵＩ制御部２３を介して、このような図３ｂのブラウザウインドウ３１０と共に、各種メニュー呼び出し用のメニューボタン３０６と、ナビゲーション部１８呼び出し用のナビボタン３１５を表示する。そして、ナビボタン３１５が操作されたならば、ナビゲーション部１８のナビゲーションウインドウ３００をアクティブウインドウに設定し、図３ａに示すように、ナビゲーションウインドウ３００を、ＧＵＩ制御部２３に表示装置１２の前面に表示させる。
【００３２】
以下、ナビゲーション部１８におけるユーザ登録地点の登録動作について説明する。
ナビゲーション部１８は、ナビゲーションウインドウ３００がアクティブウインドウとなっているときに、ユーザから、地点登録要求を受けると、まず、図４ａに示す検索条件受付ウインドウをＧＵＩ制御部２３を介して表示装置１２に表示し、地点の検索条件の受け付ける。地点の検索条件としては、たとえば、地点種別や地点名称などの条件を受け付ける。そして、検索ボタン４０１が操作されたならば、検索条件ウインドウで受け付けた検索条件にマッチする地点レコードを地図データ記憶部１６に記憶されているサービスデータ中から検索する。そして、索条件受付ウインドウを閉じ、図４ｂに示す地点選択ウインドウを表示して、地点選択ウインドウ中に検索した地点レコードの地点名称のリスト４０２を表示する。
【００３３】
そして、プリセット地点の地点名称のリスト４０２上における地点名称の選択を受け付ける。
また、リスト上４０２でいずれかの地点名称が選択されている状態で、登録ボタン４０３が操作されたならば、地点選択ウインドウを閉じて、一意なマーク識別子を与えた新規なユーザマークレコードを生成する。そして、新規ユーザマークレコードの対応地点識別子に、リスト上で選択されている地点名称に対応する地点レコードの地点識別子を登録する。また、新規ユーザマークレコードのマーク種別と、マーク名称と、地点座標と、ＷｅｂサイトＵＲＬに、リスト上で選択されている地点名称に対応する地点レコードの、地点種別と、地点名称と、地点座標と、ＷｅｂサイトＵＲＬをコピーする。
【００３４】
また、新規ユーザマークレコードのマーク図形識別子に、マーク図形リソース中の図形のうちの、ユーザ登録地点を示すユーザマークとして用いるディフォルトの図形として予め定めたおいた図形を示すディフォルトのマーク図形識別子を設定する。
そして、以上のように各項目を設定した新規ユーザマークレコードの内容を、図４ｃに示すユーザマークレコード編集ウインドウに表示し、その編集を受け付ける。そして、各入力ボックスで新規ユーザマークレコードの各項目の値が変更されたならば、当該変更を新規ユーザマークレコードの対応する項目の値に反映する。また、使用マーク表示ボックス４０４の横に設けた変更ボタン４０５が操作されたならば、図４ｄに示す、マーク図形リソースに格納されている図形の一覧を表示して、その内から、ユーザ登録地点を示すユーザマークとして用いる図形の選択を受け付けて、選択を受け付けた図形を示すマーク図形識別子に、新規ユーザマークレコードのマーク図形識別子を変更すると共に、使用マーク表示ボックス４０４に選択を受け付けた図形を表示する。そして、ＯＫボタン４０６が操作されたならば、作成した新規ユーザマークレコードをメモリ２１に登録し処理を終了する。一方、取消ボタン４０７が操作されたならば、作成した新規ユーザマークレコードを消去し、そのまま処理を終了する。
【００３５】
次に、ナビゲーション部１８が行う対応ブックマーク登録処理について説明する。
図５に、この対応ブックマーク登録処理の手順を示す。
図示するように、この処理では、図４を用いて説明した手順によって行われるユーザマークレコードの新規登録の発生（ステップ５０２）と、推奨ルートの新規設定の発生（ステップ５０４）と、推奨ルートの設定解除の発生（ステップ５０６）を監視する。
そして、ユーザマークレコードの新規登録が発生したならば、その新規に登録されたユーザマークレコードのマーク名称とＷｅｂサイトＵＲＬとマーク種別を取得する（ステップ５１０）。
そして、ブックマーク記憶部１９のブックマークデータに、取得したマーク種別をフォルダタイトルとするブックマークフォルダが存在するかどうかを調べ（ステップ５１２）、存在する場合には、そのままステップ５１４に進み、存在しない場合には、ブックマークデータ中に、取得したマーク種別をフォルダタイトルとするブックマークフォルダを作成した（ステップ５１６）上で、ステップ５１４に進む。なお、このブックマークフォルダの作成は、ナビゲーション部１８が直接ブックマークデータを編集することにより行うようにしてもよいし、ナビゲーション部１８からＷｅｂブラウザ２０にブックマークフォルダの作成を要求し、要求を受けたＷｅｂブラウザ２０において要求に従ってブックマークフォルダを作成することにより行うようにしてもよい。
【００３６】
さて、次に、ステップ５１４では、新規に登録されたユーザマークレコードのマーク名称をタイトルとし、新規に登録されたユーザマークレコードのＷｅｂサイトＵＲＬをＵＲＬとするブックマークを作成し、新規に登録されたユーザマークレコードのマーク種別をフォルダタイトルとするブックマークフォルダに登録する。ここで、このブックマークの登録は、ナビゲーション部１８が直接ブックマークデータを編集することにより行うようにしてもよいし、ナビゲーション部１８からＷｅｂブラウザ２０にブックマークの登録を要求し、要求を受けたＷｅｂブラウザ２０において要求に従ってブックマークを登録することにより行うようにしてもよい。
【００３７】
この結果、ユーザが地点をユーザ登録地点として設定すると、その地点に関連するＷｅｂサイトのＵＲＬが、Ｗｅｂブラウザ２０のブックマークとして、その地点の種別毎のブックマークフォルダにフォルダ分けされた形態で、登録されることになる。したがって、以降、ユーザは、この地点に関連するＷｅｂページを、Ｗｅｂブラウザ２０のブックマークを利用して簡易に閲覧できるようになる。
【００３８】
さて、次に、推奨ルートの新規設定が発生した場合には（ステップ５０４）、まず、推奨ルート沿いの地点座標（推奨ルート上の最寄り地点までの距離が所定距離以下の地点座標）を持つ地点レコードを地図データ記憶部１６のサービスデータから探索する（ステップ５１８）。
そして、推奨ルートに従って走行した場合に、探索した地点レコードの地点座標最寄りの推奨ルート上の地点を通過する時刻を算出する（ステップ５２０）。
ここで、ナビゲーション部１８は、推奨ルート上の、探索した地点レコードの地点座標最寄りの推奨ルート上の地点の通過時刻を、現在時刻と、推奨ルートに従って走行した場合の、現在位置からその地点までの道程距離や、その地点まで利用する道路種類（高速道路や一般道等）や、その地点までの間の渋滞の有無などに応じて算出する。
【００３９】
次に、ステップ５１８で探索した各地点レコードの地点名称とＷｅｂサイトＵＲＬを取得する（ステップ５２２）。
そして、ブックマーク記憶部１９のブックマークデータに、「ルート沿い」をフォルダタイトルとするブックマークフォルダが存在するかどうかを調べ（ステップ５２４）、存在する場合には、そのままステップ５２６に進み、存在しない場合には、ブックマークデータ中に、「ルート沿い」をフォルダタイトルとするブックマークフォルダを作成した（ステップ５２８）上で、ステップ５２６に進む。
【００４０】
さて、次に、ステップ５２６では、ステップ５１８で探索した各地点レコードの地点名称に当該地点レコードについてステップ５２０で求めた通過時刻を連結した文字列をタイトルとし、その地点レコードのＷｅｂサイトＵＲＬをＵＲＬとするブックマークを作成し、各ブックマークをステップ５２０で求めた通過時刻の順に、「ルート沿い」をフォルダタイトルとするブックマークフォルダに登録する。
【００４１】
この結果、推奨ルートが設定されると、図６のブックマークリスト３１３、３１４に示すように、推奨ルート沿いに存在する各地点に関連するＷｅｂサイトのＵＲＬが、Ｗｅｂブラウザ２０のブックマークとして、「ルート沿い」の名称を持つブックマークフォルダにフォルダ分けされた形態で、各地点の通過順に、地点名称と通過予定時刻をタイトルとして登録されることになる。したがって、以降、ユーザは、ルート沿いの地点に関連するＷｅｂページを、各地点の通過予定時刻を参照しつつ、Ｗｅｂブラウザ２０のブックマークを利用して簡易に閲覧できるようになる。
【００４２】
さて、図５に戻り、次に、推奨ルートの設定解除が発生（ステップ５０６）した場合には、「ルート沿い」をフォルダタイトルとするブックマークフォルダに格納されている全てのブックマークを消去する（ステップ５０８）。ここで、この消去は、ナビゲーション部１８が直接ブックマークデータを編集することにより行うようにしてもよいし、ナビゲーション部１８からＷｅｂブラウザ２０にブックマークの消去を要求し、要求を受けたＷｅｂブラウザ２０において要求に従ってブックマークを消去することにより行うようにしてもよい。
【００４３】
以上、ナビゲーション部１８が行う対応ブックマーク登録処理について説明した。
ところで、以上の対応ブックマーク登録処理では、推奨ルート設定中に、最寄り地点を通過した地点の地点レコードの地点名称をタイトルに含むブックマークを、「ルート沿い」をフォルダタイトルとするブックマークフォルダから消去する処理も行うようにしてもよい。このようにすることにより、既に通過した地点に関連するＷｅｂサイトのブックマークを、「ルート沿い」をフォルダタイトルとするブックマークフォルダから消去することができる。
【００４４】
または、推奨ルート設定中には、「ルート沿い」をフォルダタイトルとするブックマークフォルダに格納されている全てのブックマークを消去し、再度、ステップ５１８からステップ５２６による「ルート沿い」をフォルダタイトルとするブックマークフォルダへ、推奨ルート沿いに存在する各地点に関連するＷｅｂサイトのブックマークを登録する処理を、定期的に、繰り返し行うようにしてもよい。このようにしても、既に通過した地点に関連するＷｅｂサイトのブックマークを、「ルート沿い」をフォルダタイトルとするブックマークフォルダから消去することができる。また、このようにすることにより、さらに、「ルート沿い」をフォルダタイトルとするブックマークフォルダに含まれるブックマークのタイトルの一部として表示される、推奨ルート沿いに存在する各地点の通過時刻を最新の通過予想時刻に更新することができる。
【００４５】
次に、ナビゲーション部１８が行う対応マーク登録処理について説明する。
図７に、この対応マーク登録処理の手順を示す。
図示するように、この処理では、ブックマーク記憶部１９に、Ｗｅｂブラウザ２０によって新たにブックマークが追加されるのを待つ（ステップ７０２）。ただし、ここでは、図５の対応ブックマーク登録処理のステップ５１４やステップ５２６によって行われたブックマークの追加は、Ｗｅｂブラウザ２０によって行われた新たなブックマークの追加ではないものとする。
【００４６】
そして、Ｗｅｂブラウザ２０によって新たにブックマークが追加されたならば、追加されたブックマークのＵＲＬをＷｅｂサイトＵＲＬとして持つ地点レコードが地図データ記憶部１６のサービスデータに含まれるかどうかを判定する（ステップ７０４）。そして、そのような地点レコードが含まれない場合には、ステップ７０２に戻り、次のブックマークの追加を待つ。
【００４７】
一方、そのような地点レコードがサービスデータに含まれる場合には、追加されたブックマークのＵＲＬをＷｅｂサイトＵＲＬとして持つユーザマークレコードがメモリ２１に登録されているかを調べる（ステップ７０６）。そして、そして、そのようなユーザマークレコードが登録されている場合には、ステップ７０２に戻り、次のブックマークの追加を待つ。
【００４８】
一方、そのようなユーザマークレコードがメモリ２１に登録されていない場合には、一意なマーク識別子を与えた新規なユーザマークレコードを生成する。そして、新規ユーザマークレコードの対応地点識別子に、追加されたブックマークのＵＲＬをＷｅｂサイトＵＲＬとして持つ地点レコードの地点識別子を登録する。また、新規ユーザマークレコードのマーク種別と、マーク名称と、地点座標と、ＷｅｂサイトＵＲＬに、追加されたブックマークのＵＲＬをＷｅｂサイトＵＲＬとして持つ地点レコードの、地点種別と、地点名称と、地点座標と、ＷｅｂサイトＵＲＬをコピーする。
【００４９】
また、新規ユーザマークレコードのマーク図形識別子に、マーク図形リソース中の図形のうちの、ユーザ登録地点を示すユーザマークとして用いるディフォルトの図形として予め定めたおいた図形を示すディフォルトのマーク図形識別子を設定する。
そして、以上のように各項目を設定した新規ユーザマークレコードの内容を、図４ｃに示すユーザマークレコード編集ウインドウに表示し、前述のように、新規ユーザマークレコードの編集を受け付ける（ステップ７１０）。そして、ＯＫボタン４０６が操作されたならば（ステップ７１４）、作成した新規ユーザマークレコードをメモリ２１に登録し（ステップ７１６）、ステップ７０２に戻り、次のブックマークの追加を待つ。
【００５０】
一方、取消ボタン４０７が操作されたならば（ステップ７１２）、新規ユーザマークレコードをメモリ２１に登録することなく、そのままステップ７０２に戻る。
なお、図５に示した対応ブックマーク登録処理のステップ５０２では、本対応マーク登録処理で行った新規ユーザマークレコードの登録は、新規ユーザマークレコードの登録とは見なさない。
以上、ナビゲーション部１８が行う対応マーク登録処理について説明した。
なお、以上の対応マーク登録処理は、ステップ７１０から７１４の処理を省いて、ステップ７０８で新規なユーザマークレコードを作成したならば、そのまま作成したユーザマークレコードをメモリ２１に登録し、ステップ７０２に戻るようにしてもよい。
このような対応マーク登録処理によれば、ユーザがＷｅｂブラウザ２０上で新たなブックマークを登録したときに、自動的に、または、ユーザの簡易な操作に応じて、このブックマークのＷｅｂページに関連する地点を、ユーザ登録地点として登録し、以降、このユーザ登録地点を示すユーザマークを地図上に表示させることができるようになる。
【００５１】
以上、本発明の実施形態について説明した。
なお、以上では、対応ブックマーク登録処理や対応マーク登録処理をナビゲーション部１８が行うものとして説明したが、これらの処理の一方または双方は、ナビゲーション部１８に代えて制御部２２やＷｅｂブラウザ２０が行うものとしてもよい。
【図面の簡単な説明】
【００５２】
【図１】本発明の実施形態に係る情報システムの構成を示すブロック図である。
【図２】本発明の実施形態において車載システムが用いる各種データを示す図である。
【図３】本発明の実施形態に係る車載システムの表示画面例を示す図である。
【図４】本発明の実施形態に係る車載システムがユーザ登録地点の登録を受け付けるために用いるウインドウを示す図である。
【図５】本発明の実施形態に係る車載システムが行う対応ブックマーク登録処理を示すフローチャートである。
【図６】本発明の実施形態に係る車載システムが行う対応ブックマーク登録処理で登録したブックマークの表示例を示す図である。
【図７】本発明の実施形態に係る車載システムが行う対応マーク登録処理を示すフローチャートである。
【符号の説明】
【００５３】
１…車載システム、２…インターネット、３…Ｗｅｂサーバ、１１…操作部、１２…表示装置、１３…無線通信装置、１４…車両状態センサ、１５…ＧＰＳ受信機、１６…地図データ記憶部、１７…通信制御部、１８…ナビゲーション部、１９…ブックマーク記憶部、２０…Ｗｅｂブラウザ、２１…メモリ、２２…制御部、２３…ＧＵＩ制御部。
【図１】
2006277638.tif 000003
【図２】
2006277638.tif 000004
【図３】
2006277638.tif 000005
【図４】
2006277638.tif 000006
【図５】
2006277638.tif 000007
【図６】
2006277638.tif 000008
【図７】
2006277638.tif 000009